(57)【要約】【課題】防水加工の工程が煩雑化するのを抑制することが可能なシューズの防水構造を提供する。【解決手段】本発明のシューズ１の防水構造は、外側アッパー材２と、外側アッパー材２の内側に配置され、外側アッパー材２の端部２ａよりも端部３ａが延びる防水透湿性のフィルム材３と、外側アッパー材２の端部２ａおよびフィルム材３の端部３ａの上側に配置されるとともに、下面がフィルム材３の端部３ａと固定される中底５と、外側アッパー材２の端部２ａ、フィルム材３の端部３ａおよび中底５の下側に配置されたソール６とを備えている。外側アッパー材２の端部２ａの外側および先端とフィルム材３の端部３ａの外側とは、水を通さない防水接着剤２０により隙間なく覆われており、外側アッパー材２、フィルム材３および中底５の下面５ａは、防水接着剤２０によりソール６の上面６ａと接着されている。【選択図】図１
2018164536.tif 000002
【特許請求の範囲】
【請求項１】
外側アッパー材と、
前記外側アッパー材の内側に配置され、前記外側アッパー材の端部よりも端部が延びる防水透湿性のフィルム材と、
前記外側アッパー材の端部および前記フィルム材の端部の内側に配置されるとともに、外面が前記フィルム材の端部と直接または間接的に固定される中底と、
前記外側アッパー材の端部、前記フィルム材の端部および前記中底の外側に配置されたソールとを備え、
前記外側アッパー材の端部の外側および先端と前記フィルム材の端部の外側とは、水を通さない防水接着剤により隙間なく覆われており、
前記外側アッパー材および前記フィルム材は、前記防水接着剤により前記ソールの内側面と接着されている、シューズの防水構造。
【請求項２】
前記フィルム材の内側に配置され、前記フィルム材の端部先端と同じ端部先端位置、または、前記フィルム材の端部先端よりも短い端部先端位置を有する通気性のインナー材をさらに備え、
前記フィルム材の端部の外側、前記インナー材の端部先端および前記中底の外側面は、前記防水接着剤により隙間なく覆われている、請求項１に記載のシューズの防水構造。
【請求項３】
前記フィルム材の端部の先端は、前記中底側に折り返されており、
折り返された前記フィルム材の折り返し点は、前記外側アッパー材の端部の先端と同じ端部位置、または、前記外側アッパー材の端部の先端よりも延びた位置に配置されている、請求項１または２に記載のシューズの防水構造。
【発明の詳細な説明】
【技術分野】
【０００１】
本発明は、シューズの防水構造に関し、特に、外側アッパー材と、外側アッパー材の内側に配置された防水透湿性のフィルム材とを備えるシューズの防水構造に関する。
【背景技術】
【０００２】
従来、甲被（外側アッパー材）と、甲被の内側に配置され、甲被の端部先端と同じ端部先端位置を有する透湿防水フィルム（フィルム材）と、甲被の端部および透湿防水フィルムの端部の上側に配置される中底とを備えるシューズの防水構造が知られている（特許文献１）。この特許文献１のシューズの防水構造では、甲被に浸透した水が透湿防水フィルムの内側の裏材に浸透しないように、吊り込み代端部近傍における甲被と透湿防水フィルムとの間に防水用接着剤が塗布されている。さらに、防水用接着剤は、甲被、透湿防水フィルムおよび裏材の吊り込み代端部先端を覆うように塗布されている。
【先行技術文献】
【特許文献】
【０００３】
【特許文献１】特許第３１４８０９８号公報
【発明の概要】
【発明が解決しようとする課題】
【０００４】
しかしながら、上記特許文献１のシューズの防水構造では、吊り込み代端部近傍における甲被から裏材への水の浸透を抑制するために、吊り込み代端部近傍における甲被と透湿防水フィルムとの間に防水用接着剤が塗布されているが、このような構造とするためには、吊り込み時に吊り込み代端部全周に亘って甲被を捲り上げて防水用接着剤を塗布する必要がある。このため、特許文献１のシューズの防水構造では、防水加工の工程が煩雑化するという問題点があった。また、上記特許文献１のシューズの防水構造では、甲被、透湿防水フィルムおよび裏材の吊り込み代端部先端を覆うように防水用接着剤を塗布する必要があるが、各端部先端が何層にも重なる分、端部先端の厚みが増すことにより、端部先端を十分に塗布しなければ防水用接着剤に隙間が生じるおそれがあるため、二重塗りをする必要があるなど、この点でも防水加工の工程が煩雑化するという問題点があった。
【０００５】
本発明は上記課題を解決するためになされたものであり、防水加工の工程が煩雑化するのを抑制することが可能なシューズの防水構造を提供することを目的とする。
【課題を解決するための手段】
【０００６】
上記課題を解決するために、本発明によるシューズの防水構造は、外側アッパー材と、外側アッパー材の内側に配置され、外側アッパー材の端部よりも端部が延びる防水透湿性のフィルム材と、外側アッパー材の端部およびフィルム材の端部の内側に配置されるとともに、外面がフィルム材の端部と固定される中底と、外側アッパー材の端部、フィルム材の端部および中底の外側に配置されたソールとを備えている。また、外側アッパー材の端部の外側および先端とフィルム材の端部の外側とは、水を通さない防水接着剤により隙間なく覆われており、外側アッパー材およびフィルム材は、防水接着剤によりソールの内側面と接着されている。
【０００７】
このシューズの防水構造では、上記のように、外側アッパー材の端部よりも端部が延びる防水透湿性のフィルム材を設けるとともに、外側アッパー材の端部の外側および先端とフィルム材の端部の外側とを、水を通さない防水接着剤により隙間なく覆うことによって、フィルム材の端部が外側アッパー材の端部よりも端部が延びていることにより、フィルム材の端部および外側アッパー材の端部の外側に防水接着剤を塗布するだけで、外側アッパー材の端部の外側および先端部分を防水接着剤により囲むことができる。また、外側アッパー材の端部の内側はフィルム材により囲まれており、外側アッパー材の端部先端部分に塗布された防水接着剤がフィルム材の外面にも連続して塗布されるので、外側アッパー材の端部を容易に防水コートすることができる。さらには、外側アッパー材およびフィルム材を、防水接着剤によりソールの内側面と接着することによって、シューズのアッセンブリを行う工程の一環で防水加工を行うことができる。これらの結果、防水加工の工程が煩雑化するのを抑制することができる。
【０００８】
なお、本発明における外側アッパー材の端部、フィルム材の端部および後述するインナー材の端部とは、各材料の終端（先端）のみを指すわけではなく、各材の終端（先端）から１センチメートルから５センチメートル程度延びる領域をいう。
【０００９】
また、上記シューズの防水構造において、好ましくは、フィルム材の内側に配置され、フィルム材の端部先端と同じ端部先端位置、または、フィルム材の端部先端よりも短い端部先端位置を有する通気性のインナー材をさらに備え、フィルム材の端部の外側、インナー材の端部先端および中底の外側面は、防水接着剤により隙間なく覆われている。このように構成すれば、シューズの防水性を確保しながら、インナー材により使用者の快適性を向上させることができる。
【００１０】
また、上記シューズの防水構造において、好ましくは、フィルム材の端部先端は、中底側に折り返されており、折り返されたフィルム材の折り返し点は、外側アッパー材の端部先端と同じ端部位置、または、外側アッパー材の端部先端よりも延びた位置に配置されている。このように構成すれば、フィルム材の端部が補強されるので、吊り込み時にフィルム材端部が破損するのを抑制することができる。また、フィルム材の内側にインナー材が配置されている場合にも、フィルム材の端部先端が中底側（内側）に折り返されることにより、インナー材の端部先端がフィルム材に包まれるので、インナー材の端部先端から浸水することを確実に防止することができる。
【発明の効果】
【００１１】
本発明に係るシューズの防水構造によれば、防水加工の工程が煩雑化するのを抑制することができる。
【図面の簡単な説明】
【００１２】
【図１】本発明の第１実施形態によるシューズの防水構造を説明するための断面図である。
【図２】本発明の第１実施形態によるシューズの吊り込み前の状態を示した断面図である。
【図３】本発明の第１実施形態によるシューズの吊り込み工程を示した断面図である
【図４】本発明の第１実施形態によるシューズの吊り込み後に防水接着剤を塗布した状態を示した断面図である。
【図５】本発明の第２実施形態によるシューズの防水構造を説明するための断面図である。
【発明を実施するための形態】
【００１３】
（第１実施形態）
図１を参照して、本発明の第１実施形態によるシューズ１の防水構造について説明する。
【００１４】
図１に示すように、シューズ１の防水構造は、外側アッパー材２と、外側アッパー材２の内側に配置された防水透湿性のフィルム材３と、フィルム材３の内側に配置されたインナー材４とを備えている。また、シューズ１の防水構造は、外側アッパー材２の端部２ａおよびフィルム材３の端部３ａの内側に配置された中底５と、外側アッパー材２、フィルム材３の端部３ａおよび中底５の外側に配置されたソール６とをさらに備えている。
【００１５】
外側アッパー材２は、通気性を有するメッシュ生地等のニット生地、合成皮革や天然皮革からなる材料により構成されている。また、外側アッパー材２は、外側に露出しており、上述したように通気性を有する一方で、水や泥等の外部の環境の影響を直接的に受ける位置に配置されている。
【００１６】
フィルム材３は、インナー材４と一体的に形成されており、通常、フィルム材３とインナー材４とは分離し難い構成となっている。このように構成すれば、後述する吊り込み時に、フィルム材３とインナー材４とをまとめて工具で挟むことができるので、フィルム材３の破損を抑制することが可能である。なお、第１実施形態の図では、便宜上、フィルム材３とインナー材４との間に空隙を設けている。また、インナー材４は、通気性を有するメッシュなどのニット生地、織物または不織布により構成されており、使用者の足当りを向上する機能、および、内部の蒸れを抑制する機能を有する。
【００１７】
ここで、第１実施形態では、フィルム材３は、外側アッパー材２の端部２ａよりも端部３ａが延びるように構成されている。また、インナー材４は、外側アッパー材２の端部２ａよりも端部４ａが延びるように構成されている。つまり、インナー材４の端部４ａの先端４ｂは、フィルム材３の端部３ａの先端３ｂと同じ端部位置を有する。
【００１８】
また、外側アッパー材２の内側面とフィルム材３の外側面とは、ホットメルト接着剤などの接着剤（図示せず）により部分的に接着されている。これにより、吊り込み時に、外側アッパー材２、フィルム材３およびインナー材４の互いの位置関係がずれるのを防止することが可能である。なお、外側アッパー材２の内側面とフィルム材３の外側面とを、縫製により接続してもよい。
【００１９】
中底５は、その外側面（下面）がインナー材４の端部４ａの内面と吊り込み接着剤１０により接着されることによって、インナー材４と固定されている。上述したように、インナー材４はフィルム材３と一体化されており、フィルム材３は外側アッパー材２と接着されているので、外側アッパー材２およびフィルム材３は、中底５に間接的に固定されている。
【００２０】
また、第１実施形態では、外側アッパー材２の端部２ａの外側２ｂおよび先端２ｃとフィルム材３の端部３ａの外側３ｃとは、水を通さない防水接着剤２０により隙間なく覆われている。つまり、アッパー材２の端部２ａは、防水接着剤２０とフィルム材３とにより取り囲まれるように構成されている。これにより、アッパー材２が外部の環境により水を含む状態になった場合にも、防水接着剤２０およびフィルム材３により水を堰きとめることが可能となる。
【００２１】
また、フィルム材３の端部３ａの外側３ｃ、インナー材４の端部４ａの先端４ｂおよび中底５の外側面５ａは、防水接着剤２０により隙間なく覆われている。つまり、防水接着剤２０は、外側アッパー材２の端部２ａの外面２ｂおよび先端２ｃとフィルム材３の端部３ａの外面３ｃとのみならず、インナー材４の端部４ａの先端４ｂおよび中底５の外側面５ａまで延びるように覆っている。さらに換言すると、防水接着剤２０は、シューズ１のアッパー構造のうち、ソール６と対向する内甲側から外甲側に亘る足幅方向の全面を覆っている。なお、第１実施形態では、外側アッパー材２、フィルム材３、インナー材４および中底５によりシューズ１のアッパー構造を構成するが、その他図示しない補強材やクッション材等を含めてもよい。また、中底５とソール６との間の空間に空間を埋める図示しないクッション材を設けてもよい。
【００２２】
また、外側アッパー材２、フィルム材３、インナー材４および中底５の外側面５ａは、防水接着剤２０によりソール６の内側面６ａ（上面）と接着されている。
【００２３】
次に、図１〜図４を参照して、シューズ１の吊り込み作業について説明する。
【００２４】
まず、図２に示すように、使用者の足を模したラスト５０の足裏面５１と対向する面に、中底５を配置する。そして、中底５の外側面５ａの全面に、吊り込み接着剤１０を塗布する。なお、第１実施形態では、中底５の外側面５ａの全面に吊り込み接着剤１０を塗布しているが、吊り込みに必要な範囲である外側面５ａの外周面のみに塗布してもよい。
【００２５】
次に、外側アッパー材２、フィルム材３およびインナー材４を、ラスト５０に沿って吊り込む。具体的には、まず、各々が一体化された外側アッパー材２、フィルム材３およびインナー材４を、ラスト５０の表面に沿うように配置する。そして、図示しない工具により、外側アッパー材２の端部２ａ、フィルム材３の端部３ａおよびインナー材４の端部４ａを挟み、各端部２ａ、３ａおよび４ａを中底５の外側面５ａに向かって引っ張る。そして、２ａ、３ａおよび４ａを接着剤１０によって外側面５ａに固定する。なお、第１実施形態では、厳密にいうと、中底５の外側面５ａに対向する部材はインナー材４となるため、インナー材４の端部４ａが外側面５ａと接着される。
【００２６】
次に、図４に示すように、防水接着剤２０を、外側アッパー材２の端部２ａの外側２ｂ、フィルム材３の端部３ａの外側３ｃ、および中底５の外側面５ａに亘って刷毛またはスプレーを用いて塗布する。この際に、外側アッパー材２の先端２ｃ、フィルム材３の先端３ｄおよびインナー材４の先端４ｂにも防水接着剤２０が塗布および含浸される。つまり、シューズ１のアッパー構造のうち、ソール６の内側面６ａと対向する面全面に、防水接着剤２０が塗布される。その後、図１に示すように、ソール６を、防水接着剤２０を介してシューズ１のアッパー構造（外側アッパー材２、フィルム材３、インナー材４、中底５）に固定する。
【００２７】
上記のように、第１実施形態では、外側アッパー材２の端部２ａよりも端部３ａが延びる防水透湿性のフィルム材３を設けるとともに、外側アッパー材２の端部２ａの外側２ｂおよび先端２ｃとフィルム材３の端部３ａの外側３ｃとを、水を通さない防水接着剤２０により隙間なく覆うことによって、フィルム材３の端部３ａが外側アッパー材２の端部２ａよりも端部が延びていることにより、フィルム材３の端部３ａおよび外側アッパー材２の端部２ａの外側２ｂに防水接着剤２０を塗布するだけで、外側アッパー材２の端部２ａの外側２ｂおよび先端２ｃ部分を防水接着剤２０により囲むことができる。また、外側アッパー材２の端部２ａの内側はフィルム材３により囲まれており、外側アッパー材２の端部２ａ先端２ｃ部分に塗布された防水接着剤２０がフィルム材３の外側３ｃにも連続して塗布されるので、外側アッパー材２の端部２ａを容易に防水コートすることができる。さらには、外側アッパー材２およびフィルム材３を、防水接着剤２０によりソール６の内側面６ａと接着することによって、シューズ１のアッセンブリを行う工程の一環で防水加工を行うことができる。これらの結果、防水加工の工程が煩雑化するのを抑制することができる。
【００２８】
また、第１実施形態では、上記のように、フィルム材３の端部３ａの外側３ｃ、通気性のインナー材４の端部４ａ先端４ｂおよび中底５の外側面５ａを、防水接着剤２０により隙間なく覆うことによって、シューズ１の防水性を確保しながら、インナー材４により使用者の快適性を向上させることができる。
【００２９】
（第２実施形態）
次に、図５を参照して、本発明の第２実施形態によるシューズ１００の防水構造について説明する。なお、第２実施形態によるシューズ１００の防水構造では、上記第１実施形態のシューズ１の防水構造とは異なり、フィルム材３の端部３ａ先端３ｂが中底５側に折り返されている。
【００３０】
図５に示すように、シューズ１００のフィルム材３の端部３ａおよびインナー材４の端部４ａは、それぞれ、外側アッパー材２の端部２ａよりも延びている。そして、フィルム材３の端部３ａの先端３ｂは、外側アッパー材２の端部２ａよりも延びた状態で、中底５側に折り返されている。換言すると、フィルム材３の端部３ａの先端３ｂは、インナー材４の端部４ａを覆うようにインナー材４側に折り返されている。この場合、インナー材４の端部４ａ同士がフィルム材３の端部３ａに包まれた状態で向かい合うようになるが、インナー材４の端部４ａ同士は、図示しない接着剤や縫製等の手法により予め接合されている。
【００３１】
また、折り返されたフィルム材３の折り返し点３ｄは、外側アッパー材２の端部２ａ先端２ｃよりも延びた位置に配置されている。また、折り返されたフィルム材３の端部３ａ先端３ｂは、外側アッパー材２の端部２ａ先端２ｃよりも折り返し点３ｄ側に配置されている。フィルム材３およびインナー材４が折り返される領域が、外側アッパー材２の端部２ａと積層しないようにするためである。
【００３２】
上記構成により、中底５の外側面５ａは、吊り込み時に、吊り込み接着剤１０によってフィルム材３の端部３ａと直接的に接合される。また、防水接着剤２０は、インナー材４の端部４ａに接することなく外側アッパー材２の端部２ａ、フィルム材３の端部３ａおよび中底５の外側面５ａを隙間なく覆っている。
【００３３】
なお、第２実施形態のその他の構成は、上記第１実施形態の構成と同様なので、説明を省略する。
【００３４】
このように第２実施形態では、上記のように、フィルム材３の端部３ａの先端３ｂを、中底５側に折り返すとともに、折り返されたフィルム材３の折り返し点３ｄを、外側アッパー材２の端部２ａ先端２ｃよりも延びた位置に配置することによって、フィルム材３の端部３ａが補強されるので、吊り込み時にフィルム材３の端部３ａが破損するのを抑制することができる。また、フィルム材３の端部３ａ先端３ｂが中底５側（内側）に折り返されることにより、インナー材４の端部４ａ先端４ｂがフィルム材３に包まれるので、インナー材４の端部４ａ先端４ｂから浸水することを確実に防止することができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、上記第１および第２実施形態では、外側アッパー材２、フィルム材３およびインナー材４のよりシューズのアッパー構造を構成した例について示したが、本発明はこれに限られない。本発明では、たとえば、フィルム材の内側のインナー材がなくてもよいし、外側アッパー材の外側にアッパー構造を補強する補強材が設けられていてもよい。なお、この場合、補強材の端部の先端は外側アッパー材の端部先端よりも短い端部位置であることが必要で、かつ、防水接着剤により覆われていることが好ましい。
【００３７】
また、上記第１および第２実施形態では、インナー材４の端部４ａ先端４ｂの端部位置がフィルム材３の端部３ａ先端３ｂと同じ端部位置となる例を示したが、本発明はこれに限られない。本発明では、インナー材の端部先端の端部位置がフィルム材の端部先端よりも短い端部位置を有していてもよい。
【００３８】
また、上記第１および第２実施形態では、吊り込み接着剤１０の種類を特定しなかったが、本発明では、吊り込み接着剤を、水を通さない防水接着剤にしてもよい。
【００３９】
また、上記第２実施形態では、折り返されたフィルム材３の折り返し点３ｄを、外側アッパー材２の端部２ａ先端２ｃよりも延びた位置に配置する例について示したが、本発明はこれに限られない。折り返されたフィルム材３の折り返し点が、外側アッパー材の端部先端の端部位置と同じ位置に配置されていてもよい。
【符号の説明】
【００４０】
１、１００  シューズ
２  外側アッパー材
２ａ  端部
２ｂ  外側
２ｃ  先端
３  フィルム材
３ａ  端部
３ｂ  先端
３ｃ  外側
３ｄ  折り返し点
４  インナー材
４ａ  端部
４ｂ  先端
５  中底
５ａ  外側面
６  ソール
６ａ  内側面
【図１】
2018164536.tif 000003
【図２】
2018164536.tif 000004
【図３】
2018164536.tif 000005
【図４】
2018164536.tif 000006
【図５】
2018164536.tif 000007